(57)【特許請求の範囲】
【請求項１】
換気用送風機と暖房用熱交換器をケース内に納めた換気空調装置において、
前記換気送風機を前記ケース内の側面近傍に配置し、
前記換気用送風機により浴室内の空気をケース内に吸引するための吸気穴を、ケースの一方側面または両側面に設け、
前記換気送風機から遠い側の側面に設けられた前記吸気穴と前記換気送風機との間に、ケース内の内部隔壁によって形成された連通路を設け、前記換気送風機から遠い側の側面に設けられた吸気穴から吸引された浴室内の空気を前記連通路を通じて前記換気送風機の吸込み口へ導くことを特徴とする換気空調装置。
【請求項２】
前記吸気穴は、ケースの側面に設けられたものであって、ケースの内面から外面に向けて斜め上方もしくは斜め後方へ形成されていることを特徴とする請求項１に記載の換気空調装置。
【発明の詳細な説明】
【０００１】
【発明の属する技術分野】
本発明は、換気機能を備えた換気空調装置、特に壁掛け式の換気空調装置に関する。
【０００２】
【従来の技術】
図１１及び図１２は従来の壁掛け式の浴室暖房乾燥装置６０を示した正面図及び断面図である。この浴室暖房乾燥装置６０は換気機能を備えており、換気運転は換気用送風機６２を作動させ、浴室内の空気（湿気）を本体ケース６１内に吸引し、本体ケース６１の背面に設けられた排出口６５より屋外に排出することで行っている。浴室壁６７に設置された浴室暖房乾燥装置６０の本体ケース６１の正面には、換気用送風機６２と対向させて、浴室内の空気を本体ケース６１内に吸引するための吸気穴６６が設けられている。そして、本体ケース６１の上部には、換気用送風機６２が下面から空気を吸引するように横長の姿勢で取り付けられている。換気用送風機６２は、モータ６３によってシロッコファン（図示せず）を駆動し、浴室内の空気を吸気穴６６から本体ケース６１内に取り込み、換気用送風機６２の下面の吸込み口６４より吸引して、背面の排出口６５を通して、浴室壁６７に設けられた貫通孔６８に装着された排気管６９より屋外へ排出することで浴室内の換気を行う。尚、浴室壁６７の屋外側の貫通孔６８の開口周辺には雨滴の浸入を防ぐために屋外フード７０が設けられている。また、図１１の符号７２は、空気吸込口７１から本体ケース６１内に吸引した空気を暖房用熱交換器（図示せず）で加熱し、室内へ送風するための温風吹出し口である。
【０００３】
【発明が解決しようとする課題】
浴室内では、浴槽若しくはその周辺の洗い場に対向するように浴室暖房乾燥装置が設置される場合が多い。従来の浴室暖房乾燥装置では、換気運転時に浴室内の空気を本体ケース内に吸引する吸気穴を本体ケースの正面に設けているため、入浴中に換気運転を行うと、換気用送風機にて発生するモータの回転音やシロッコファンの風切り音等による換気用送風機の動作音が、本体ケースの正面に設けられた吸気穴から浴室内にいる入浴者に向けて直接に伝わり、入浴者にとってうるさく感じられ、耳障りであった。
【０００４】
本発明は上述の技術的問題点を解決するためになされたものであり、その目的とするところは、換気運転時の騒音を低く抑えた換気空調装置を提供することにある。
【０００５】
【発明の開示】
請求項１に記載の換気空調装置は、換気用送風機と暖房用熱交換器をケース内に納めた換気空調装置において、前記換気送風機を前記ケース内の側面近傍に配置し、前記換気用送風機により浴室内の空気をケース内に吸引するための吸気穴を、ケースの一方側面または両側面に設け、前記換気送風機から遠い側の側面に設けられた前記吸気穴と前記換気送風機との間に、ケース内の内部隔壁によって形成された連通路を設け、前記換気送風機から遠い側の側面に設けられた吸気穴から吸引された浴室内の空気を前記連通路を通じて前記換気送風機の吸込み口へ導くことを特徴としている。
【０００６】
請求項１に記載の換気空調装置によれば、換気用の吸気穴は換気空調装置のケースの一方側面または両側面に設けられており、換気運転時の騒音は、主としてケースの側面に設けられた吸気穴から浴室内に漏れる。従って、換気用送風機のモータ音やファンの風切り音等によって発生する騒音が換気空調装置の前方にいる入浴者に届きにくくなり、入浴者は換気運転時の騒音に煩わされることなく、快適に入浴することができる。さらに、請求項１の換気空調装置によれば、換気送風機から遠い側の側面に設けられた吸気穴と換気送風機との間にケース内の内部隔壁によって形成された連通路を設けているので、換気送風機から遠い側の吸気穴から漏れる換気送風機の騒音は、比較的長い連通路による消音効果で抑制され、換気送風機の騒音を抑える効果がより高くなる。
【０００７】
請求項２に記載の実施態様は、請求項１に記載の換気空調装置において、前記吸気穴が、ケースの側面に設けられたものであって、ケースの内面から外面に向けて斜め上方もしくは斜め後方へ形成されているものである。
【０００８】
この実施態様では、ケース側面に内面から外面に向けて斜め上方もしくは斜め後方へ吸気穴を設けているので、換気用送風機の騒音は吸気穴から斜め上方もしくは斜め後方に向けて漏れ、入浴者の耳には一層届きにくくなる。
【０００９】
【発明の実施の形態】
（第１の実施形態）
（構造）
図１は本発明の一実施形態による浴室暖房乾燥装置１を示す正面図、図２はその内部構造図、図３はその背面図である。まず、この浴室暖房乾燥装置１の構造を主として図２により説明する。この浴室暖房乾燥装置１にあっては、本体ケース２内部の向かって中央部から右側にかけて、配管（コイル）３内を循環する湯などの熱媒と空気を熱交換させて空気を加熱するための熱交換器４を配設している。本体ケース２内部の、熱交換器４の背後空間の上部には、温風吹出用ファン５を納めている。温風吹出用ファン５は、例えば、モータ６によってフロースルー（横流）ファン７を回転させることにより、熱交換器４で加熱された空気を下方から吸引し、上方から温風として浴室内へ吹き出すものである。また、本体ケース２の前面には正面カバー８が着脱自在に取り付けられていて、本体ケース２と正面カバー８によって浴室暖房乾燥装置１のケースが構成されている。正面カバー８の上部には、図１に示すように、温風吹出用ファン５による温風吹出し位置に対応させて温風吹出口９を開口してあり、温風吹出口９の前面上部には上下の風向調整を行なうためのルーバー翼１０を設け、温風吹出口９内には左右の風向調整を行なうための複数枚のルーバー羽根１１を設けている。さらに、正面カバー８の、熱交換器４と対向する部分には、空気吸込口１２が設けられており、空気吸込口１２の背面には下方から防塵用のフィルタ１３を着脱自在に差し込めるようになっている。
【００１０】
本体ケース２の向かって左側には、吸込み口１６を左方に向けて、換気用送風機１４を縦長の姿勢で取り付けている。換気用送風機１４は、例えば、薄型のモータ１５でシロッコファン（図示せず）を回転させるものである。本体ケース２の左側面には、図４に示すように、複数個の吸気穴３５が設けられ、換気運転時は浴室内の空気をこの吸気穴３５から本体ケース２内に吸引し、屋外に排出する。換気用の吸気穴３５は、図５に断面を示したように、換気用送風機１４の騒音が斜め上向きに漏れるように、本体ケース２の内面から外面に向かって斜め上向きに開けられている。尚、図２では、吸込み口１６を吸気穴３５に対向させて左方に向けて換気用送風機１４を設置しているが、吸込み口１６を下方に向けて換気用送風機１４を設置してもよい。
【００１１】
また、図３に示すように、排出口１７内には、逆風防止用のシャッター１８が垂下され、上縁が回動自在に枢支されている。このシャッター１８は自重で閉じ、換気用送風機１４の風力によって屋外側へ開く。換気用送風機１４は、図２に示すように、背面に設けられた取付プレート１９を本体ケース２の背面にビス２０で止めることにより固定されている。
【００１２】
そして、本体ケース２の向かって左側端部には、開口２１があけられている。この開口２１は、換気用送風機１４の排出口１７の外径よりも十分に大きな開口径（例えば直径１００ｍｍ）を有するものであって、換気用送風機１４は、排出口１７を開口２１から背面側へ突出させるようにして本体ケース２に取り付けられる。開口２１は、換気用送風機１４によって左部が塞がれており、取付プレート１９の右側では換気用送風機１４に塞がれることなく開放され、配管及び電気配線を屋外導出する際に用いられる。
【００１３】
熱交換器４に配設された配管３の両端は、図２に示すように、開口２１の近傍へ導かれている。配管３の一端には、袋ナット等の接続手段により継手管２２の一端が接続され、配管３の他端には、熱動弁２３を介して継手管２２が接続されており、両継手管２２の他端は、取付プレート１９の下の開口２１へ導かれ、連結管（図示せず）と接続されて屋外に導出される。
【００１４】
また、本体ケース２内の換気用送風機１４の前方には、リモートコントローラ（図示せず）からの赤外線信号を受信する受光部２４（この受光部２４は、運転中や受信確認等の表示を行なう表示機能も備えている）が設けられており、受光部２４は正面カバー８の窓２５から露出している。本体ケース２の向かって右上方には、コントローラ２６が設けられている。
【００１５】
図３に示すように、本体ケース２の背面には、金属製の支持プレート２７を着脱自在に取り付けられるようになっている。すなわち、支持プレート２７の上縁から突出した爪部２８を本体ケース２の背面に設けられた差込み口２９に下方から差し入れ、本体ケース２の凹部３０の天井面に突出した突起３１を、支持プレート２７の水平に屈曲された部分に開口された貫通孔３２に上方から差込むことによって本体ケース２が支持プレート２７に取り付けられている。なお、３３は支持プレート２７を壁にネジ止めするための通孔である。
【００１６】
（使用状態）
上記浴室暖房乾燥装置１は、図６に示すように、浴室壁５１に取り付けられる壁掛け型となっており、例えば浴槽５３の上方の天井５４付近において、支持プレート２７によって浴室壁（外壁）５１に取り付けられる。しかして、熱源機（図示せず）から熱交換器４の配管３へ高温の熱媒を循環させるとともに、温風吹出用ファン５を運転し、比較的低温の温風を浴室暖房乾燥装置１の温風吹出口９から吐出させることにより、浴室内の暖房を行なえる。また、浴室内に衣類５２を吊り下げた状態で、浴室暖房乾燥装置１の温風吹出口９から高温の温風を吐出させれば、衣類５２を乾燥させることができ、浴室を衣類乾燥室に転用することが可能になる。さらに、換気用送風機１４を運転することにより、浴室内の湿気を含んだ空気を屋外に排出して浴室内の換気をすることができる。
【００１７】
次に、換気運転時の動作について説明する。換気用送風機１４の右側面に位置するモータ１５で内蔵のシロッコファンを回転させると、本体ケース２の左側面に設けられた吸気穴３５より吸込んだ浴室内の空気を換気用送風機１４の左側面に位置する吸込み口１６から吸引し、背面の排出口１７を通して屋外へ排出する。本浴室暖房乾燥装置１にあっては、換気用の吸気穴３５を本体ケース２の左側面に設けることによって、換気運転時の騒音は本体ケース２の左側面から漏れる。このようにすれば、従来例のように換気運転時の騒音が本体ケース２の正面から漏れることがなく、入浴者の耳に届きにくくなる。また、図５に示したように、換気用の吸気穴３５を本体ケース２の内面から外面に向かって斜め上向きに開けているので、換気運転時の騒音は天井に向けて放出され、浴室内の床側にいる入浴者には一層届きにくくなる。
【００１８】
（第２の実施形態）
図７は本発明の別な実施形態による浴室暖房乾燥装置３６を示す内部構造図である。また、図８は浴室暖房乾燥装置３６のＡ−Ａ線断面図である。この浴室暖房乾燥装置３６にあっては、本体ケース２の右側面に吸気穴３５を設け、図８に示すように、本体ケース２内において、熱交換器４の背後空間の下部、すなわち温風吹出用ファン５の下方に内部隔壁３７、３８によって左右の連通路３９が設けられている。そして、本体ケース２の右側面に開口された吸気口３５から吸込んだ浴室内の空気を、熱交換器４の背後に形成した連通路３９を通じて左方向に位置している換気用送風機１４の吸込み口１６に導き、換気用送風機１４によって屋外に排出する。浴室暖房乾燥装置３６では、連通路３９から導入した空気を効率よく吸込み口１６より吸込むため、吸込み口１６が連通路３９の端部開口に対向するように取り付けている。浴室暖房乾燥装置３６も換気運転時においては、本体ケース２の右側面に吸気穴３５を設けているから、換気用送風機１４の騒音は本体ケース２の右側面から漏れるため、入浴者の耳に届きにくくなる。しかも、換気用送風機１４と吸気穴３５との距離が長くなるので連通路３９による消音効果も得られる。
【００１９】
また、図９に内部構造を示すように、本体ケース２の左右の両側面に吸気穴３５を設け、吸込み口１６が下方を向くように換気用送風機１４を取り付けて、左右の両側面の吸気穴３５から吸気をしてもよい。この浴室暖房乾燥装置４０では、浴室暖房乾燥装置３６と同様に、本体ケース２の右側面に設けられた吸気口３５より換気用送風機１４の吸込み口１６に浴室内の空気を導くために内部隔壁３７、３８によって連通路３９が設けられている。浴室暖房乾燥装置４０にあっても、本体ケース２の左右両側面に吸気穴３５を設けているから、換気用送風機１４の騒音は本体ケース２の両側面から漏れ、入浴者の耳に届きにくくなる。また、施工上の都合により、本体ケース２の側面のうち一方が浴室壁４１に塞がれている場合も、他方の吸気穴３５より、浴室内の空気を吸引することができる。
【００２０】
尚、上記各実施形態では、吸気穴３５を本体ケース２の側面において内面側から外面側に向けて斜め上がりに形成しているが、本体ケース２の側面に内面側から外面側へ向けて斜め後方へ開口させてもよい。
【００２１】
（第３の実施形態）
図１０は本発明のさらに別な実施形態による浴室暖房乾燥装置４１の内部構造を示す概略図である。この浴室暖房乾燥装置４１にあっては、本体ケース２の上側に吸気穴３５を設け、吸気穴３５に対向するように吸込み口１６を上向きにして換気用送風機１４を取り付けている。本浴室暖房乾燥装置４１では換気運転時において、本体ケース２の上面に吸気穴３５を設けているから、換気用送風機１４の騒音は本体ケース２の上面から漏れ、入浴者の耳に届きにくくなる。
【図面の簡単な説明】
【図１】本発明の一実施形態による浴室暖房乾燥装置の正面図である。
【図２】同上の浴室暖房乾燥装置の内部構造を示す正面図である。
【図３】同上の浴室暖房乾燥装置の背面図である。
【図４】同上の浴室暖房乾燥装置の側面図である。
【図５】同上の浴室暖房乾燥装置の本体ケースに設けられた吸気穴を示す断面図である。
【図６】同上の浴室暖房乾燥装置の浴室への施工状態を示す概略図である。
【図７】本発明の別な実施形態による浴室暖房乾燥装置の内部構造を示す正面図である。
【図８】図７のＡ−Ａ線断面図である。
【図９】本発明のさらに別な実施形態による浴室暖房乾燥装置の内部構造を示す正面図である。
【図１０】本発明のさらに別な実施形態による浴室暖房乾燥装置の内部構造を示す正面図である。
【図１１】従来の浴室暖房乾燥装置の正面図である。
【図１２】同上の浴室暖房乾燥装置の内部構造を示す断面図である。
【符号の説明】
２  本体ケース
４  熱交換器
１４  換気用送風機
１６  吸込み口
３５  吸気穴
３９  連通路
【図１】
0004038909.tif 000002
【図２】
0004038909.tif 000003
【図３】
0004038909.tif 000004
【図４】
0004038909.tif 000005
【図５】
0004038909.tif 000006
【図６】
0004038909.tif 000007
【図７】
0004038909.tif 000008
【図８】
0004038909.tif 000009
【図９】
0004038909.tif 000010
【図１０】
0004038909.tif 000011
【図１１】
0004038909.tif 000012
【図１２】
0004038909.tif 000013